【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
潜像が形成される潜像担持体と、
帯電バイアスを印可して前記潜像担持体を帯電する帯電部材と、
前記潜像担持体を露光して前記潜像を形成する露光部と、
トナー及びキャリア液を含む液体現像剤を担持して現像バイアスを印可し、前記潜像を現像する現像剤担持体を有する現像部と、
バイアスを印加して前記潜像担持体をクリーニングする潜像担持体クリーニングローラと、
前記潜像担持体に当接し、前記潜像担持体の液体現像剤を掻き取る潜像担持体クリーニングブレードと、
前記帯電部材の帯電バイアスを印可し、前記現像剤担持体を前記潜像担持体に当接させ、前記潜像担持体クリーニングローラのバイアスを印可した状態で、前記潜像担持体をクリーニングさせる制御部と、
を備えることを特徴とする画像形成装置。
【請求項２】
前記現像剤担持体に担持された液体現像剤を圧縮する現像剤圧縮部材を備え、
前記制御部は、前記帯電部材の帯電バイアスを印可し、前記現像剤担持体を前記潜像担持体に当接させ、前記潜像担持体クリーニングローラのバイアスを印可した状態で、前記潜像担持体をクリーニングさせるときは、前記現像剤担持体及び前記現像剤圧縮部材のバイアスを印可させない請求項１に記載の画像形成装置。
【請求項３】
前記現像剤担持体と、前記潜像担持体と、前記帯電部材と、前記露光部と、前記潜像担持体クリーニングローラと、前記潜像担持体クリーニングブレードとを、複数色の液体現像剤に対してそれぞれ備える請求項１又は請求項２に記載の画像形成装置。
【請求項４】
前記潜像担持体クリーニングブレードを前記潜像担持体に当接もしくは離間させる機構を有し、
前記制御部は、前記潜像担持体クリーニングブレードを前記潜像担持体に対して離間し、前記潜像担持体クリーニングローラにバイアスを印可した後、前記潜像担持体クリーニングブレードを前記潜像担持体に対して当接させる請求項１乃至請求項３のいずれか1つに記載の画像形成装置。
【請求項５】
前記潜像担持体に担持された前記像を転写するバイアスを印加する転写バイアス印加手段、および前記転写部材を前記潜像担持体に当接もしくは離間させる機構を有する転写部材を有し、
前記制御部は、前記転写部材が前記潜像担持体に対して離間した時に、前記帯電部材の帯電バイアスを印可し、前記現像剤担持体を前記潜像担持体に当接させ、前記潜像担持体クリーニングローラのバイアスを印可した状態で、前記潜像担持体をクリーニングさせる請求項１乃至請求項４のいずれか１つに記載の画像形成装置。
【請求項６】
潜像担持体クリーニングローラは、潜像担持体に担持された前記像を転写するときに前記転写バイアス印加手段に印加するバイアスの極性と同極性のバイアスが印可される請求項５記載の画像形成装置。
【請求項７】
前記潜像担持体に担持された前記像を転写するバイアスを印加する転写バイアス印加手段、および前記転写部材を前記潜像担持体に当接もしくは離間させる機構を有する転写部材を有し、
前記制御部は、前記転写部材が前記潜像担持体に対して当接した時に、前記帯電部材の帯電バイアスを印可し、前記現像剤担持体を前記潜像担持体に当接させ、前記潜像担持体クリーニングローラのバイアスを印可した状態で、前記潜像担持体をクリーニングさせる請求項１乃至請求項４のいずれか1つに記載の画像形成装置。
【請求項８】
潜像担持体クリーニングローラは、潜像担持体に担持された前記像を転写するときに前記転写バイアス印加手段に印加するバイアスの極性と逆極性のバイアスを印可する請求項７に記載の画像形成装置。
【請求項９】
前記潜像担持体のキャリア液を回収するスクイーズ部を備え、
前記制御部は、前記スクイーズ部を離間したときに、前記帯電部材の帯電バイアスを印可し、前記現像剤担持体を前記潜像担持体に当接させ、前記潜像担持体クリーニングローラのバイアスを印可した状態で、前記潜像担持体をクリーニングさせる請求項１乃至請求項８のいずれか1つに記載の画像形成装置。
【請求項１０】
前記スクイーズ部は、第１スクイーズローラ、及び第２スクイーズローラを有する請求項９に記載の画像形成装置。
【請求項１１】
紙ジャムを検知して、潜像担持体の駆動を停止するとともに、帯電バイアス、及び現像バイアスを停止し、
前記潜像担持体を駆動させ、
前記潜像担持体に帯電部材で前記帯電バイアスを印加し、
前記帯電バイアスが印可された前記潜像担持体に、トナー及びキャリア液を含む液体現像剤を担持して前記現像バイアスが印可された現像剤担持体を当接させ、
前記現像剤担持体が当接した前記潜像担持体に潜像担持体クリーニングローラでバイアスを印加して前記潜像担持体をクリーニングすることを特徴とする画像形成装置の制御方法。
【請求項１２】
前記潜像担持体クリーニングローラにバイアスを印可した後、前記潜像担持体クリーニングブレードを前記潜像担持体に対して当接する請求項１１に記載の画像形成装置の制御方法。
【手続補正２】
【補正対象書類名】明細書
【補正対象項目名】００１０
【補正方法】変更
【補正の内容】
【００１０】
本発明は、上記課題を解決する画像形成装置であって、潜像が形成される潜像担持体と、帯電バイアスを印可して前記潜像担持体を帯電する帯電部材と、前記潜像担持体を露光して前記潜像を形成する露光部と、トナー及びキャリア液を含む液体現像剤を担持して現像バイアスを印可し、前記潜像を現像する現像剤担持体を有する現像部と、バイアスを印加して前記潜像担持体をクリーニングする潜像担持体クリーニングローラと、前記潜像担持体に当接し、前記潜像担持体の液体現像剤を掻き取る潜像担持体クリーニングブレードと、前記帯電部材の帯電バイアスを印可し、前記現像剤担持体を前記潜像担持体に当接させ、前記潜像担持体クリーニングローラのバイアスを印可した状態で、前記潜像担持体をクリーニングさせる制御部と、を備えるので、未転写の残留固形分のクリーニング性が向上し、潜像担持体表層の保護層や感光層を破壊することが低減される。
【手続補正３】
【補正対象書類名】明細書
【補正対象項目名】００１１
【補正方法】変更
【補正の内容】
【００１１】
また、前記現像剤担持体に担持された液体現像剤を圧縮する現像剤圧縮部材を備え、前記制御部は、前記帯電部材の帯電バイアスを印可し、前記現像剤担持体を前記潜像担持体に当接させ、前記潜像担持体クリーニングローラのバイアスを印可した状態で、前記潜像担持体をクリーニングさせるときは、前記現像剤担持体及び前記現像剤圧縮部材のバイアスを印可させないので、印字状態時の画像を良好に形成すると共に、クリーニング時には、現像剤を圧縮せず、クリーニング性が向上する。
【手続補正４】
【補正対象書類名】明細書
【補正対象項目名】００１２
【補正方法】変更
【補正の内容】
【００１２】
また、前記現像剤担持体と、前記潜像担持体と、前記帯電部材と、前記露光部と、前記潜像担持体クリーニングローラと、前記潜像担持体クリーニングブレードとを、複数色の液体現像剤に対してそれぞれ備えるので、各色の液体現像剤に対応したクリーニング処理を実行することができる。
【手続補正５】
【補正対象書類名】明細書
【補正対象項目名】００１３
【補正方法】変更
【補正の内容】
【００１３】
また、前記潜像担持体クリーニングブレードを前記潜像担持体に当接もしくは離間させる機構を有し、前記制御部は、前記潜像担持体クリーニングブレードを前記潜像担持体に対して離間し、前記潜像担持体クリーニングローラにバイアスを印可した後、前記潜像担持体クリーニングブレードを前記潜像担持体に対して当接させるので、凝集した現像剤に対して前記潜像担持体クリーニングローラがバイアスを印可し、掻き取りやすくなった状態で前記潜像担持体クリーニングブレードを当接させ、クリーニング性を向上させることができる。
【手続補正６】
【補正対象書類名】明細書
【補正対象項目名】００１４
【補正方法】変更
【補正の内容】
【００１４】
また、前記潜像担持体に担持された前記像を転写するバイアスを印加する転写バイアス印加手段、および前記転写部材を前記潜像担持体に当接もしくは離間させる機構を有する転写部材を有し、前記制御部は、前記転写部材が前記潜像担持体に対して離間した時に、前記帯電部材の帯電バイアスを印可し、前記現像剤担持体を前記潜像担持体に当接させ、前記潜像担持体クリーニングローラのバイアスを印可した状態で、前記潜像担持体をクリーニングさせるので、転写部材に現像剤が付着することが低減される。
【手続補正７】
【補正対象書類名】明細書
【補正対象項目名】００１５
【補正方法】変更
【補正の内容】
【００１５】
また、潜像担持体クリーニングローラは、潜像担持体に担持された前記像を転写するときに前記転写バイアス印加手段に印加するバイアスの極性と同極性のバイアスが印可されるので、潜像担持体クリーニングローラで現像剤を回収し易くなり、クリーニング性を向上させることができる。
【手続補正８】
【補正対象書類名】明細書
【補正対象項目名】００１６
【補正方法】変更
【補正の内容】
【００１６】
また、前記潜像担持体に担持された前記像を転写するバイアスを印加する転写バイアス印加手段、および前記転写部材を前記潜像担持体に当接もしくは離間させる機構を有する転写部材を有し、前記制御部は、前記転写部材が前記潜像担持体に対して当接した時に、前記帯電部材の帯電バイアスを印可し、前記現像剤担持体を前記潜像担持体に当接させ、前記潜像担持体クリーニングローラのバイアスを印可した状態で、前記潜像担持体をクリーニングさせるので、転写部材に現像剤が付着することが低減される。
【手続補正９】
【補正対象書類名】明細書
【補正対象項目名】００１７
【補正方法】変更
【補正の内容】
【００１７】
また、潜像担持体クリーニングローラは、潜像担持体に担持された前記像を転写するときに前記転写バイアス印加手段に印加するバイアスの極性と逆極性のバイアスを印可するので、正規帯電している現像剤は、転写部材に転写し、正規帯電していない現像剤は、潜像担持体クリーニングローラで回収し、クリーニング性を向上させることができる。
【手続補正１０】
【補正対象書類名】明細書
【補正対象項目名】００１８
【補正方法】変更
【補正の内容】
【００１８】
前記潜像担持体のキャリア液を回収するスクイーズ部を備え、前記制御部は、前記スクイーズ部を離間したときに、前記帯電部材の帯電バイアスを印可し、前記現像剤担持体を前記潜像担持体に当接させ、前記潜像担持体クリーニングローラのバイアスを印可した状態で、前記潜像担持体をクリーニングさせるので、キャリア液の回収を減らし、潜像担持体をクリーニングしやすくなる。
【手続補正１１】
【補正対象書類名】明細書
【補正対象項目名】００１９
【補正方法】変更
【補正の内容】
【００１９】
また、前記スクイーズ部は、第１スクイーズローラ、及び第２スクイーズローラを有するので、印字状態で十分にキャリア液を除去し、画質を向上させることができる。
【手続補正１２】
【補正対象書類名】明細書
【補正対象項目名】００２０
【補正方法】変更
【補正の内容】
【００２０】
以下、本発明の実施の形態を、図面を参照しつつ説明する。図１は本発明の実施の形態に係る画像形成装置を構成する主要構成要素を示す図、図２は一次転写部及び現像部の一例としての現像ユニットの主要構成要素を示す断面図である。画像形成部及び現像ユニットは、図１において、イエロー（Ｙ）、マゼンタ（Ｍ）、シアン（Ｃ）、ブラック（Ｋ）からなる各色に対し、同じ構成要素については、各色を表すＹ、Ｍ、Ｃ、Ｋをそれぞれに付して同一番号を用いている。そのうち、イエロー（Ｙ）の画像形成部、現像ユニットの構成を示したのが図２である。以下、各画像形成部及び現像ユニットの詳細については図２を参照して説明する。
【手続補正１３】
【補正対象書類名】明細書
【補正対象項目名】００２１
【補正方法】変更
【補正の内容】
【００２１】
潜像担持体の一例としての感光体１０Ｙは、直径約８０ｍｍの円筒状の部材からなり、液体現像剤による像を担持する。感光体１０Ｙの外周の回転方向（移動方向）に沿って、潜像担持体クリーニングユニットの一例としての感光体クリーニングユニット８０Ｙ、感光体１０Ｙを帯電させる帯電部材の一例としての帯電器１１Ｙ、感光体１０Ｙを露光する露光部の一例としての露光ユニット１２Ｙ、現像ユニット３０Ｙの現像剤担持体の一例としての現像ローラ２０Ｙが配置されている。
【手続補正１４】
【補正対象書類名】明細書
【補正対象項目名】００２４
【補正方法】変更
【補正の内容】
【００２４】
感光体第２クリーニング装置８６Ｙは、感光体１０Ｙに当接し、感光体１０Ｙ上の現像剤を掻き取る潜像担持体クリーニングブレードの一例としての感光体クリーニングブレード８７Ｙと、感光体クリーニングブレード８７Ｙの掻き取った現像剤を回収する潜像担持体第２現像剤回収部の一例としての感光体第２現像剤回収部８８Ｙを有する。感光体クリーニングブレード８７Ｙは、感光体クリーニングブレード８７Ｙを、感光体１０Ｙに当接もしくは離間させる機構によって、接離可能となっている。
【手続補正１５】
【補正対象書類名】明細書
【補正対象項目名】００３４
【補正方法】変更
【補正の内容】
【００３４】
次に、制御部による感光体クリーニング処理制御について説明する。感光体クリーニング制御は、感光体１０Ｙの表面に残留した現像剤を除去するものである。
【手続補正１６】
【補正対象書類名】明細書
【補正対象項目名】００４８
【補正方法】変更
【補正の内容】
【００４８】
まず、感光体１０Ｙを駆動し、回転動作を開始すると共に、図１０に示すように、一次転写部５０Ｙ，５０Ｍ，５０Ｃ，５０Ｋを、感光体１０Ｙに当接もしくは離間させる機構によって、離間させる。この時、二次転写部６０も離間させてもよい。次に、感光体１０Ｙ上の残留現像剤が感光体クリーニング部８０Ｙに到達する前に、図６に示すように、感光体クリーニングブレード８７Ｙを離間させる。その後、帯電をＯＮし、感光体１０Ｙの表面に残留した現像剤を再度印字状態時の帯電極性に帯電させる。この時、感光体１０Ｙ上の残留現像剤の固形分が感光体１０Ｙ側に片寄せされるのを防止するために、印字状態時の帯電バイアスより弱い帯電バイアスで実行してもよい。
【手続補正１７】
【補正対象書類名】明細書
【補正対象項目名】００６２
【補正方法】変更
【補正の内容】
【００６２】
次に、キャリア液除去装置としてのスクイーズ部について説明する。本実施形態のスクイーズ部は、第１スクイーズ部１３と、第２スクイーズ部１４とを有し、感光体１０Ｙに対向して現像ローラ２０Ｙの下流側に配置され、感光体１０Ｙに常時当接して、現像されたトナー像の余剰現像剤を回収するものである。
【手続補正１８】
【補正対象書類名】明細書
【補正対象項目名】００６３
【補正方法】変更
【補正の内容】
【００６３】
第１スクイーズ部１３は、図１４に示すように、表面に第１弾性体１３ａ−１Ｙを被覆して感光体１０Ｙに摺接して回転する弾性ローラ部材から成る第１スクイーズローラ１３ａＹと、図１３に示すように、該第１スクイーズローラ１３ａＹに押圧摺接して表面をクリーニングする第１スクイーズローラクリーニングブレード１３ｂＹとから構成される。
【手続補正１９】
【補正対象書類名】明細書
【補正対象項目名】００６４
【補正方法】変更
【補正の内容】
【００６４】
また、第２スクイーズ部１４は、図１４に示した第１スクイーズ部１３と同様に、表面に第２弾性体１４ａ−１Ｙを被覆して感光体１０Ｙに摺接して回転する弾性ローラ部材から成る第２スクイーズローラ１４ａＹと、図１３に示すように、該第２スクイーズローラ１４ａＹに押圧摺接して表面をクリーニングする第２スクイーズローラクリーニングブレード１４ｂＹとから構成される。
【手続補正２０】
【補正対象書類名】明細書
【補正対象項目名】００６５
【補正方法】変更
【補正の内容】
【００６５】
スクイーズ部１３Ｙ，１４Ｙは、感光体１０Ｙに現像された現像剤Ｄから余剰なキャリア液Ｃ及び本来不要なカブリトナーＴ″を回収し、顕像内のトナー粒子比率を上げる機能を有する。余剰キャリア液Ｃの回収能力は、第１スクイーズローラ１３ａＹ及び第２スクイーズローラ１４ａＹの回転方向及び感光体１０Ｙ表面の周速度に対する第１スクイーズローラ１３ａＹ及び第２スクイーズローラ１４ａＹ表面の相対的な周速度差によって所望の回収能力に設定することが可能であり、感光体１０Ｙに対してカウンタ方向に回転させると回収能力は高まり、また、周速度差を大きく設定しても回収能力が高まり、更に、この相乗作用も可能である。
【手続補正２１】
【補正対象書類名】明細書
【補正対象項目名】００６９
【補正方法】変更
【補正の内容】
【００６９】
次に、制御部による感光体クリーニング処理制御について説明する。感光体クリーニング制御は、感光体１０Ｙの表面に残留した現像剤を除去するものである。
【手続補正２２】
【補正対象書類名】明細書
【補正対象項目名】００８３
【補正方法】変更
【補正の内容】
【００８３】
まず、感光体１０Ｙを駆動し、回転動作を開始すると共に、図１８に示すように、一次転写部５０Ｙ，５０Ｍ，５０Ｃ，５０Ｋを、感光体１０Ｙに当接もしくは離間させる機構によって、離間させる。この時、図１９に示すように、二次転写部６０も共に離間させてもよい。次に、感光体１０Ｙ上の残留現像剤が感光体クリーニング部８０Ｙに到達する前に、図１６に示すように、感光体クリーニングブレード８７Ｙを、感光体１０Ｙに当接もしくは離間させる機構によって、離間させる。その後、帯電をＯＮし、感光体１０Ｙの表面に残留した現像剤を再度印字状態時の帯電極性に帯電させる。この時、感光体１０Ｙ上の残留現像剤の固形分が感光体１０Ｙ側に片寄せされるのを防止するために、印字状態時の帯電バイアスより弱い帯電バイアスで実行してもよい。
【手続補正２３】
【補正対象書類名】明細書
【補正対象項目名】０１０１
【補正方法】変更
【補正の内容】
【０１０１】
このように、潜像が形成される感光体１０Ｙと、帯電バイアスを印可して感光体１０Ｙを帯電する帯電部材１１Ｙと、感光体１０Ｙを露光して潜像を形成する露光部１２Ｙと、トナー及びキャリア液を含む液体現像剤を担持して現像バイアスを印可し、潜像を現像する現像ローラ２０Ｙを有する現像部３０Ｙと、バイアスを印加して感光体１０Ｙをクリーニングする感光体クリーニングローラ８２Ｙと、感光体１０Ｙに当接し、感光体１０Ｙの液体現像剤を掻き取る感光体クリーニングブレード８７Ｙと、帯電部材１１Ｙの帯電バイアスを印可し、現像ローラ２０Ｙを感光体１０Ｙに当接させ、感光体クリーニングローラ８２Ｙのバイアスを印可した状態で、感光体１０Ｙをクリーニングさせる制御部と、を備えるので、未転写の残留固形分のクリーニング性が向上し、感光体１０Ｙ表層の保護層や感光層を破壊することがない。
【手続補正２４】
【補正対象書類名】明細書
【補正対象項目名】０１０２
【補正方法】変更
【補正の内容】
【０１０２】
また、現像ローラ２０Ｙに担持された液体現像剤を圧縮する現像剤圧縮部材２２Ｙを備え、制御部は、帯電部材１１Ｙの帯電バイアスを印可し、現像ローラ２０Ｙを感光体１０Ｙに当接させ、感光体クリーニングローラのバイアスを印可した状態で、感光体１０Ｙをクリーニングさせるときは、現像ローラ２０Ｙ及び現像剤圧縮部材２２Ｙのバイアスを印可させないので、印字状態時の画像を良好に形成すると共に、クリーニング時には、現像剤を圧縮せず、クリーニング性が向上する。
【手続補正２５】
【補正対象書類名】明細書
【補正対象項目名】０１０３
【補正方法】変更
【補正の内容】
【０１０３】
また、現像ローラ２０Ｙと、感光体１０Ｙと、帯電部材１１Ｙと、露光部１２Ｙと、感光体クリーニングローラ８２Ｙと、感光体クリーニングブレード８７Ｙとを、複数色の液体現像剤に対してそれぞれ備えるので、各色の液体現像剤に対応したクリーニング処理を実行することができる。
【手続補正２６】
【補正対象書類名】明細書
【補正対象項目名】０１０４
【補正方法】変更
【補正の内容】
【０１０４】
また、感光体クリーニングブレード８７Ｙを感光体１０Ｙに当接もしくは離間させる機構を有し、制御部は、感光体クリーニングブレード８７Ｙを感光体１０Ｙに対して離間し、感光体クリーニングローラ８２Ｙにバイアスを印可した後、感光体クリーニングブレード８７Ｙを感光体１０Ｙに対して当接させるので、凝集した現像剤に対して感光体クリーニングローラ８２Ｙがバイアスを印可し、掻き取りやすくなった状態で感光体クリーニングブレード８７Ｙを当接させ、クリーニング性を向上させることができる。
【手続補正２７】
【補正対象書類名】明細書
【補正対象項目名】０１０５
【補正方法】変更
【補正の内容】
【０１０５】
また、感光体１０Ｙに担持された像を転写するバイアスを印加する転写バイアス印加手段、および転写部材を感光体１０Ｙに当接もしくは離間させる機構を有する転写部材を有し、制御部は、転写部材が感光体１０Ｙに対して離間した時に、帯電部材１１Ｙの帯電バイアスを印可し、現像ローラ２０Ｙを感光体１０Ｙに当接させ、感光体クリーニングローラ８２Ｙのバイアスを印可した状態で、感光体１０Ｙをクリーニングさせるので、転写部材に現像剤が付着することが低減される。
【手続補正２８】
【補正対象書類名】明細書
【補正対象項目名】０１０６
【補正方法】変更
【補正の内容】
【０１０６】
また、感光体クリーニングローラ８２Ｙは、感光体１０Ｙに担持された像を転写するときに転写バイアス印加手段に印加するバイアスの極性と同極性のバイアスが印可されるので、潜像担持体クリーニングローラ８２Ｙで現像剤を回収し易くなり、クリーニング性を向上させることができる。
【手続補正２９】
【補正対象書類名】明細書
【補正対象項目名】０１０７
【補正方法】変更
【補正の内容】
【０１０７】
また、感光体１０Ｙに担持された像を転写するバイアスを印加する転写バイアス印加手段、および転写部材を感光体１０Ｙに当接もしくは離間させる機構を有する転写部材を有し、制御部は、転写部材が感光体１０Ｙに対して当接した時に、帯電部材１１Ｙの帯電バイアスを印可し、現像ローラ２０Ｙを感光体１０Ｙに当接させ、感光体クリーニングローラ８２Ｙのバイアスを印可した状態で、感光体１０Ｙをクリーニングさせるので、転写部材に現像剤が付着することが低減される。
【手続補正３０】
【補正対象書類名】明細書
【補正対象項目名】０１０８
【補正方法】変更
【補正の内容】
【０１０８】
また、感光体クリーニングローラ８２Ｙは、感光体１０Ｙに担持された像を転写するときに転写バイアス印加手段に印加するバイアスの極性と逆極性のバイアスを印可するので、正規帯電している現像剤は、転写部材に転写し、正規帯電していない現像剤は、感光体クリーニングローラ８２Ｙで回収し、クリーニング性を向上させることができる。
【手続補正３１】
【補正対象書類名】明細書
【補正対象項目名】０１０９
【補正方法】変更
【補正の内容】
【０１０９】
また、感光体１０Ｙのキャリア液を回収するスクイーズ部材１３Ｙ、１４Ｙを備え、制御部は、スクイーズ部材１３Ｙ、１４Ｙを離間したときに、帯電部材１１Ｙの帯電バイアスを印可し、現像ローラ２０Ｙを感光体１０Ｙに当接させ、感光体クリーニングローラ８２Ｙのバイアスを印可した状態で、感光体１０Ｙをクリーニングさせるので、キャリア液の回収を減らし、感光体１０Ｙをクリーニングしやすくなる。
【手続補正３２】
【補正対象書類名】明細書
【補正対象項目名】０１１０
【補正方法】変更
【補正の内容】
【０１１０】
また、スクイーズ部材１３Ｙ、１４Ｙは、第１スクイーズローラ１３ａＹ、及び第２スクイーズローラ１４ａＹを有するので、印字状態で十分にキャリア液を除去し、画質を向上させることができる。